【手続補正書】
【提出日】平成15年10月22日(2003.10.22)
【手続補正１】
【補正対象書類名】明細書
【補正対象項目名】発明の名称
【補正方法】変更
【補正の内容】
【発明の名称】記録再生装置及び方法


【手続補正２】
【補正対象書類名】明細書
【補正対象項目名】特許請求の範囲
【補正方法】変更
【補正の内容】
【特許請求の範囲】
【請求項１】
記録媒体に信号を記録する記録手段と、
上記記録媒体上に記録されたトラッキング基準信号を再生する再生手段と、
上記再生されたトラッキング基準信号に応じて上記記録手段を上記記録媒体上の記録トラックにトラッキングさせるトラッキング手段と、
上記記録トラックに対する上記トラッキング手段による上記記録手段のトラッキング位置をシフトさせるトラッキングシフト手段とを備え、
第１のタイミングで上記再生手段により上記トラッキング基準信号を再生して上記トラッキング手段により上記記録手段を記録済みトラックにトラッキングさせる第１の状態と、第２のタイミングで上記記録手段により上記記録済みトラック上に信号を記録する第２の状態とを所定の繰り返しパターンで実行可能な記録再生装置であって、
上記トラッキングシフト手段は、上記所定の繰り返しパターンに応じて上記トラッキングシフト量を切替えることを特徴とする記録再生装置。
【請求項２】
上記繰り返しパターンは、上記記録済みトラックにおける音声信号領域及びビデオ信号領域のタイミングで音声信号とビデオ信号とを記録するインサート記録パターンと、上記記録済みトラックにおける音声信号領域のタイミングで音声信号のみを記録するアフレコ記録パターンとを含むことを特徴とする請求項１に記載の記録再生装置。
【請求項３】
テープ状記録媒体上のトラックに対してビデオ信号及び音声信号と共にトラッキング基準信号を記録する記録手段と、
上記テープ状記録媒体のトラックから信号を再生する再生手段と、
上記再生手段により再生されたトラッキング基準信号に基づいて上記記録手段と上記トラックとのトラッキングを制御するトラッキング制御手段とを備え、
上記トラッキング制御手段は、上記テープ状記録媒体に記録済みのトラックにおけるビデオ信号領域と音声信号領域に対して上記ビデオ信号と音声信号とを記録するインサート記録モードにおいて、上記記録済みのトラックと新たに記録されるトラックとの上記テープ状記録媒体の走行方向側のエッジが揃うよう上記テープ状記録媒体の走行方向に対して遅れる方向に上記記録手段のトラッキング位置をずらすことを特徴とする記録再生装置。
【請求項４】
上記テープ状記録媒体を交互にトレースする第１及び第２の回転ヘッドを備え、上記記録手段は上記回転ヘッドを用いて上記ビデオ信号及び上記音声信号を記録すると共に上記再生手段は上記回転ヘッドを用いて上記信号を再生し、上記トラッキング制御手段は上記第１の回転ヘッドにより再生されたトラッキング基準信号に基づいて上記第２の回転ヘッドのトラッキングを制御することを特徴とする請求項３に記載の記録再生装置。
【請求項５】
上記第１及び上記第２の回転ヘッドのヘッド幅が上記テープ状記録媒体上に形成されるトラック幅よりも広いことを特徴とする請求項４に記載の記録再生装置。
【請求項６】
回転ヘッドによりテープ状記録媒体上の多数のトラックに対してビデオ信号及び音声信号と共にトラッキング基準信号を記録する記録手段と、
上記回転ヘッドにより上記テープ状記録媒体のトラックから信号を再生する再生手段と、
上記再生手段により再生されたトラッキング基準信号に基づいてトラッキング制御信号を生成し、上記回転ヘッドと上記トラックとのトラッキングを制御するトラッキング制御手段と、
上記テープ状記録媒体に記録済みのトラックのビデオ信号領域と音声信号領域に対して上記ビデオ信号と上記音声信号とを記録するインサート記録モードと、上記音声信号領域に対してのみ上記音声信号を記録するアフレコ記録モードの間でモードを設定するモード設定手段と、
上記インサート記録モードと上記アフレコ記録モードの間で、上記トラッキング制御手段によるトラッキング目標位置を異ならせる変更手段とを備えることを特徴とする記録再生装置。
【請求項７】
上記インサート記録モードにおいては、連続した複数の上記トラックに対して上記ビデオ信号と上記音声信号とを記録し、上記アフレコ記録モードにおいては、所定数のトラック毎に間欠的に上記音声信号を記録することを特徴とする請求項６に記載の記録再生装置。
【請求項８】
記録手段により記録媒体に信号を記録する記録手順と、
上記記録媒体上に記録されたトラッキング基準信号を再生する再生手順と、
上記再生されたトラッキング基準信号に応じて上記記録手段を上記記録媒体上の記録トラックにトラッキングするトラッキング手順と、
上記記録トラックに対する上記トラッキング手順による上記記録手段のトラッキング位置をシフトさせるトラッキングシフト手順とを備え、
第１のタイミングで上記再生手順により上記トラッキング基準信号を再生して上記トラッキング手順により上記記録手段を記録済みトラックにトラッキングさせる第１の状態と、第２のタイミングで上記記録手段により上記記録済みトラック上に信号を記録する第２の状態とを所定の繰り返しパターンで実行可能な記録再生方法であって、
上記トラッキングシフト手順は、上記所定の繰り返しパターンに応じて上記トラッキングシフト量を切替えることを特徴とする記録再生方法。
【請求項９】
記録手段によりテープ状記録媒体上のトラックに対してビデオ信号及び音声信号と共にトラッキング基準信号を記録する記録手順と、
上記テープ状記録媒体のトラックから信号を再生する再生手順と、
上記再生手順により再生されたトラッキング基準信号に基づいて上記記録手段と上記トラックとのトラッキングを制御するトラッキング制御手順とを備え、
上記トラッキング制御手順は、上記テープ状記録媒体に記録済みのトラックにおけるビデオ信号領域と音声信号領域に対して上記ビデオ信号と音声信号とを記録するインサート記録モードにおいて、上記記録済みのトラックと新たに記録されるトラックとの上記テープ状記録媒体の走行方向側のエッジが揃うよう上記テープ状記録媒体の走行方向に対して遅れる方向に上記記録手段のトラッキング位置をずらすことを特徴とする記録再生方法。
【請求項１０】
回転ヘッドによりテープ状記録媒体上の多数のトラックに対してビデオ信号及び音声信号と共にトラッキング基準信号を記録する記録手順と、
上記回転ヘッドにより上記テープ状記録媒体のトラックから信号を再生する再生手順と、
上記再生手順により再生されたトラッキング基準信号に基づいてトラッキング制御信号を生成し、上記回転ヘッドと上記トラックとのトラッキングを制御するトラッキング制御手順と、
上記テープ状記録媒体に記録済みのトラックのビデオ信号領域と音声信号領域に対して上記ビデオ信号と上記音声信号とを記録するインサート記録モードと、上記音声信号領域に対してのみ上記音声信号を記録するアフレコ記録モードの間でモードを設定するモード設定手順と、
上記インサート記録モードと上記アフレコ記録モードの間で、上記トラッキング制御手順によるトラッキング目標位置を異ならせる変更手順とを備えることを特徴とする記録再生方法。
【手続補正３】
【補正対象書類名】明細書
【補正対象項目名】００１６
【補正方法】変更
【補正の内容】
【００１６】
【課題を解決するための手段】
上記の目的を達成するために、本発明による記録再生装置においては、記録媒体に信号を記録する記録手段と、上記記録媒体上に記録されたトラッキング基準信号を再生する再生手段と、上記再生されたトラッキング基準信号に応じて上記記録手段を上記記録媒体上の記録トラックにトラッキングさせるトラッキング手段と、上記記録トラックに対する上記トラッキング手段による上記記録手段のトラッキング位置をシフトさせるトラッキングシフト手段とを備え、第１のタイミングで上記再生手段により上記トラッキング基準信号を再生して上記トラッキング手段により上記記録手段を記録済みトラックにトラッキングさせる第１の状態と、第２のタイミングで上記記録手段により上記記録済みトラック上に信号を記録する第２の状態とを所定の繰り返しパターンで実行可能な記録再生装置であって、上記トラッキングシフト手段は、上記所定の繰り返しパターンに応じて上記トラッキングシフト量を切替えるようにしている。


【手続補正４】
【補正対象書類名】明細書
【補正対象項目名】００１７
【補正方法】変更
【補正の内容】
【００１７】
また、本発明による他の記録再生装置においては、テープ状記録媒体上のトラックに対してビデオ信号及び音声信号と共にトラッキング基準信号を記録する記録手段と、上記テープ状記録媒体のトラックから信号を再生する再生手段と、上記再生手段により再生されたトラッキング基準信号に基づいて上記記録手段と上記トラックとのトラッキングを制御するトラッキング制御手段とを備え、上記トラッキング制御手段は、上記テープ状記録媒体に記録済みのトラックにおけるビデオ信号領域と音声信号領域に対して上記ビデオ信号と音声信号とを記録するインサート記録モードにおいて、上記記録済みのトラックと新たに記録されるトラックとの上記テープ状記録媒体の走行方向側のエッジが揃うよう上記テープ状記録媒体の走行方向に対して遅れる方向に上記記録手段のトラッキング位置をずらすようにしている。


【手続補正５】
【補正対象書類名】明細書
【補正対象項目名】００１８
【補正方法】変更
【補正の内容】
【００１８】
また、本発明による他の記録再生装置においては、回転ヘッドによりテープ状記録媒体上の多数のトラックに対してビデオ信号及び音声信号と共にトラッキング基準信号を記録する記録手段と、上記回転ヘッドにより上記テープ状記録媒体のトラックから信号を再生する再生手段と、上記再生手段により再生されたトラッキング基準信号に基づいてトラッキング制御信号を生成し、上記回転ヘッドと上記トラックとのトラッキングを制御するトラッキング制御手段と、上記テープ状記録媒体に記録済みのトラックのビデオ信号領域と音声信号領域に対して上記ビデオ信号と上記音声信号とを記録するインサート記録モードと、上記音声信号領域に対してのみ上記音声信号を記録するアフレコ記録モードの間でモードを設定するモード設定手段と、上記インサート記録モードと上記アフレコ記録モードの間で、上記トラッキング制御手段によるトラッキング目標位置を異ならせる変更手段とを備えている。


【手続補正６】
【補正対象書類名】明細書
【補正対象項目名】００１９
【補正方法】変更
【補正の内容】
【００１９】
また、本発明による記録再生方法においては、記録手段により記録媒体に信号を記録する記録手順と、上記記録媒体上に記録されたトラッキング基準信号を再生する再生手順と、上記再生されたトラッキング基準信号に応じて上記記録手段を上記記録媒体上の記録トラックにトラッキングするトラッキング手順と、上記記録トラックに対する上記トラッキング手順による上記記録手段のトラッキング位置をシフトさせるトラッキングシフト手順とを備え、第１のタイミングで上記再生手順により上記トラッキング基準信号を再生して上記トラッキング手順により上記記録手段を記録済みトラックにトラッキングさせる第１の状態と、第２のタイミングで上記記録手段により上記記録済みトラック上に信号を記録する第２の状態とを所定の繰り返しパターンで実行可能な記録再生方法であって、上記トラッキングシフト手順は、上記所定の繰り返しパターンに応じて上記トラッキングシフト量を切替えるようにしている。


【手続補正７】
【補正対象書類名】明細書
【補正対象項目名】００２０
【補正方法】変更
【補正の内容】
【００２０】
また、本発明による他の記録再生方法においては、記録手段によりテープ状記録媒体上のトラックに対してビデオ信号及び音声信号と共にトラッキング基準信号を記録する記録手順と、上記テープ状記録媒体のトラックから信号を再生する再生手順と、上記再生手順により再生されたトラッキング基準信号に基づいて上記記録手段と上記トラックとのトラッキングを制御するトラッキング制御手順とを備え、上記トラッキング制御手順は、上記テープ状記録媒体に記録済みのトラックにおけるビデオ信号領域と音声信号領域に対して上記ビデオ信号と音声信号とを記録するインサート記録モードにおいて、上記記録済みのトラックと新たに記録されるトラックとの上記テープ状記録媒体の走行方向側のエッジが揃うよう上記テープ状記録媒体の走行方向に対して遅れる方向に上記記録手段のトラッキング位置をずらすようにしている。


【手続補正８】
【補正対象書類名】明細書
【補正対象項目名】００２１
【補正方法】変更
【補正の内容】
【００２１】
また、本発明による他の記録再生方法においては、回転ヘッドによりテープ状記録媒体上の多数のトラックに対してビデオ信号及び音声信号と共にトラッキング基準信号を記録する記録手順と、上記回転ヘッドにより上記テープ状記録媒体のトラックから信号を再生する再生手順と、上記再生手順により再生されたトラッキング基準信号に基づいてトラッキング制御信号を生成し、上記回転ヘッドと上記トラックとのトラッキングを制御するトラッキング制御手順と、上記テープ状記録媒体に記録済みのトラックのビデオ信号領域と音声信号領域に対して上記ビデオ信号と上記音声信号とを記録するインサート記録モードと、上記音声信号領域に対してのみ上記音声信号を記録するアフレコ記録モードの間でモードを設定するモード設定手順と、上記インサート記録モードと上記アフレコ記録モードの間で、上記トラッキング制御手順によるトラッキング目標位置を異ならせる変更手順とを備えている。


【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００５０
【補正方法】変更
【補正の内容】
【００５０】
【発明の効果】
本発明によれば、ＡＶインサート等のインサート記録に問題となるビデオ領域とＩＴＩ領域との段差に起因するＩＴＩ領域の再生出力の劣化を回避することができるので、良好なインサート編集を実行することができる。


【手続補正１７】
【補正対象書類名】明細書
【補正対象項目名】００５１
【補正方法】変更
【補正の内容】
【００５１】
また、本発明の他の特徴によれば、アフレコ記録時等のインサート記録時には、アフレコ記録部直後のトラックやせに起因する再生エラーレートの劣化を回避しながらトラックの段差を極力縮小とすることができる。